(57)【要約】【課題】セキュリティ用ステッカーラベル及びその製造方法を提供する。【解決手段】本発明は、セキュリティ用ステッカーラベル及びその製造方法に関し、より詳しくは、セキュリティ用ステッカーラベルを高解像度の複写機（カラー、白黒）でコピーする場合、ステッカーラベルの印刷物の内容の全体が黒色または一部が黒色で再現されることにより、セキュリティ用ステッカーラベルのコピー偽造防止効果を提供することができ、セキュリティ用ステッカーラベルを付着した設計図面や認証書などのセキュリティ文書を持って電磁誘導ゲートを通る場合、警告アラームが鳴らすことにより、セキュリティ文書の流出を予防することができるようになるセキュリティ用ステッカーラベル及びその製造方法に関する。【選択図】図１
2017083844.tif 000002
【特許請求の範囲】
【請求項１】
セキュリティ用ステッカーラベルにおいて、
離型紙ベースシート（１００）と、
前記離型紙ベースシートの上側に、アクリル系樹脂を用いて１０〜２０μｍ程度で均一に形成されるアクリル系粘着剤層（２００）と、
前記粘着剤層の上面に付着される電磁誘導タグ挿入用紙（３００）と、
前記電磁誘導タグ挿入用紙の上側に形成される透明樹脂層（４００）と、
前記透明樹脂層の上側に、金属物質を用いて真空蒸着させて形成される金属蒸着層（５００）と、
前記金属蒸着層の上側に、ＱＲコード（登録商標）（６００ｂ）あるいは二色性蛍光インキ（６００ｃ）のセキュリティ要素として形成されるセキュリティ印刷層（６００）と、
を含んで構成されることを特徴とするセキュリティ用ステッカーラベル。
【請求項２】
セキュリティ用ステッカーラベルの製造方法において、
５〜１５μｍ、０．５〜１ｃｍの厚さで軟磁性ワイヤを製造し、抄紙工程でチャンバまたはエア方式により前記軟磁性ワイヤを投入し、電磁誘導タグ挿入用紙（３００）を形成するための電磁誘導タグ挿入用紙形成ステップ（Ｓ１００）と、
離型紙ベースシート（１００）の上側に、アクリル系樹脂をコーター機を用いて１０〜２０μｍ程度で均一に塗布し、アクリル系粘着剤層（２００）を形成するための粘着剤層形成ステップ（Ｓ２００）と、
前記アクリル系粘着剤層（２００）の上側に、合紙機を用いて前記製造された電磁誘導タグ挿入用紙（３００）を合紙するための電磁誘導タグ挿入用紙合紙ステップ（Ｓ３００）と、
前記電磁誘導タグ挿入用紙の上側に、ワニスを用いて０．５〜２μｍの厚さでコーティングし、透明樹脂層（４００）を形成するための透明樹脂層形成ステップ（Ｓ４００）と、
前記透明樹脂層の上側に、真空蒸着に使用される金属物質を用いて金属蒸着層（５００）を形成するための金属蒸着層形成ステップ（Ｓ５００）と、
前記形成された金属蒸着層の上側に、ＱＲコード（登録商標）（６００ｂ）あるいは二色性蛍光インキ（６００ｃ）のセキュリティ要素を形成し、セキュリティ印刷層を構成するためのセキュリティ印刷層形成ステップ（Ｓ６００）と、
を含んで構成されることを特徴とするセキュリティ用ステッカーラベルの製造方法。
【請求項３】
セキュリティ用ステッカーラベルにおいて、
離型紙ベースシート（１００）と、
前記離型紙ベースシートの上側に、アクリル系樹脂を用いて１０〜２０μｍ程度で均一に形成されるアクリル系粘着剤層（２００）と、
前記粘着剤層の上側に付着される電磁誘導タグ挿入用紙（３００）と、
前記電磁誘導タグ挿入用紙の上側に形成される高光沢アルミ薄層（７００）と、
前記高光沢アルミ薄層の上側に、ＱＲコード（登録商標）（６００ｂ）あるいは二色性蛍光インキ（６００ｃ）のセキュリティ要素として形成されるセキュリティ印刷層（６００）と、
を含んで構成されていることを特徴とするセキュリティ用ステッカーラベル。
【請求項４】
セキュリティ用ステッカーラベルの製造方法において、
５〜１５μｍ、０．５〜１ｃｍの厚さで軟磁性ワイヤを製造し、抄紙工程でチャンバまたはエア方式により前記軟磁性ワイヤを投入し、電磁誘導タグ挿入用紙（３００）を形成するための電磁誘導タグ挿入用紙形成ステップ（Ｓ１００）と、
離型紙ベースシート（１００）の上側に、アクリル系樹脂をコーター機を用いて１０〜２０μｍ程度で均一に塗布し、アクリル系粘着剤層（２００）を形成するための粘着剤層形成ステップ（Ｓ２００）と、
前記アクリル系粘着剤層（２００）の上側に、合紙機を用いて前記製造された電磁誘導タグ挿入用紙（３００）を合紙するための電磁誘導タグ挿入用紙合紙ステップ（Ｓ３００）と、
前記電磁誘導タグ挿入用紙の上側に、ホットメルト高光沢アルミ薄を用いて金箔印刷機で１４０〜１８０℃の温度で付着し、高光沢アルミ薄層（７００）を形成するための高光沢アルミ薄層形成ステップ（Ｓ４００）と、
前記高光沢アルミ薄層の上側に、ＱＲコード（登録商標）（６００ｂ）あるいは二色性蛍光インキ（６００ｃ）のセキュリティ要素を形成し、セキュリティ印刷層を構成するためのセキュリティ印刷層形成ステップ（Ｓ５００）と、
を含んで構成されることを特徴とするセキュリティ用ステッカーラベルの製造方法。
【請求項５】
前記金属蒸着層（５００）あるいは高光沢アルミ薄層（７００）は、
６０°光沢値が４５０光沢単位（ＧＵ）以上の光沢度を有することを特徴とする、請求項２または請求項４に記載のセキュリティ用ステッカーラベルの製造方法。
【発明の詳細な説明】
【技術分野】
【０００１】
本発明は、セキュリティ用ステッカーラベル及びその製造方法に関し、より詳しくは、セキュリティ用ステッカーラベルを高解像度の複写機（カラー、白黒）でコピーする場合、ステッカーラベルの印刷物の内容の全体が黒色または一部が黒色で再現されることにより、セキュリティ用ステッカーラベルのコピー偽造防止効果を提供することができ、セキュリティ用ステッカーラベルを付着した設計図面や認証書などのセキュリティ文書を持って電磁誘導ゲートを通る場合、警告アラームが鳴らすことにより、セキュリティ文書の流出を予防することができるようになるセキュリティ用ステッカーラベル及びその製造方法に関する。
【背景技術】
【０００２】
従来、ＯＡ機器や機器の各種重要部品などの認証書またはセキュリティを目的とするステッカーラベル、ステッカービザなどの偽造及び変造を防止するために使用されるステッカーラベルでは、コピー偽造防止技術（蛍光インキ、カラーシフトインキ、微細文字など）が適用されており、セキュリティ文書の流出に対応するために電磁誘導タグが使用されていた。
特に、機器の各種重要部品などの認証書またはセキュリティを目的とするステッカーラベル、ステッカービザなどに使用されるステッカーラベルでは、セキュリティ文書の流出に対応するために、１〜３つの電磁誘導タグを手作業で適用しており、作業工程に手間がかかった。また、電磁誘導タグを意図的に取り外して使用することができるため、セキュリティ効果が不十分であった。
【０００３】
また、高解像度の複写機によるコピー偽造防止効果も不十分であるのが現状である。
【０００４】
したがって、新しいコピー偽造防止技術が適用されたステッカーラベルが求められている。
【先行技術文献】
【特許文献】
【０００５】
【特許文献１】韓国登録特許第１０-１０４２１３９号公報
【発明の概要】
【発明が解決しようとする課題】
【０００６】
本発明は、前記のような従来技術の問題を解決するためになされたものであって、機器の各種重要部品などの認証書またはセキュリティを目的とするステッカーラベル、ステッカービザなどの偽造及び変造を防止するために使用されるステッカーラベルにおいて、セキュリティ文書の流出に対応するために、電磁誘導タグを微細化し、微細化した電磁誘導タグを用紙の製造時に噴射して適用することで、電磁誘導タグがラベルの中に多数形成されることにより、作業工程が簡単となり、電磁誘導タグを意図的に取り外す行為を根本的に遮断することができるセキュリティ用ステッカーラベル及びその製造方法を提供することを目的とする。
【０００７】
本発明の他の目的は、ステッカーラベルをコピーする場合、印刷物の内容の全部または一部が黒色で再現されることにより、目視で真贋判定が可能なセキュリティ用ステッカーラベル及びその製造方法を提供することにある。
【０００８】
本発明のまた他の目的は、ステッカーラベルの印刷物では、スマートフォンのアプリケーションを用いてＱＲコード（登録商標）の情報が確認できるようにし、複写物では、ＱＲコード（登録商標）が表示されないようにすることにより、コピーによる真贋判定が可能なセキュリティ用ステッカーラベル及びその製造方法を提供することにある。
【課題を解決するための手段】
【０００９】
前記のような目的を果たすための本発明によるセキュリティ用ステッカーラベルは、
離型紙ベースシート１００と、
前記離型紙ベースシートの上側に、アクリル系樹脂を用いて１０〜２０μｍ程度で均一に形成されるアクリル系粘着剤層２００と、
前記粘着剤層の上面に付着される電磁誘導タグ挿入用紙３００と、
記電磁誘導タグ挿入用紙の上側に形成される透明樹脂層４００と、
前記透明樹脂層の上側に、金属物質を用いて真空蒸着させて形成される金属蒸着層５００と、前記金属蒸着層の上側に、ＱＲコード（登録商標）６００ｂあるいは二色性蛍光インキ６００ｃのセキュリティ要素として形成されるセキュリティ印刷層６００と、を含んで構成されることを特徴とする。
【００１０】
前記のような目的を果たすための本発明によるセキュリティ用ステッカーラベルの製造方法は、５〜１５μｍ、０．５〜１ｃｍの厚さで軟磁性ワイヤを製造し、抄紙工程でチャンバまたはエア方式により前記軟磁性ワイヤを投入し、電磁誘導タグ挿入用紙３００を形成するための電磁誘導タグ挿入用紙形成ステップＳ１００と、
離型紙ベースシート１００の上側に、アクリル系樹脂をコーター機を用いて１０〜２０μｍ程度で均一に塗布し、アクリル系粘着剤層２００を形成するための粘着剤層形成ステップＳ２００と、
前記アクリル系粘着剤層２００の上側に、合紙機を用いて前記製造された電磁誘導タグ挿入用紙３００を合紙するための電磁誘導タグ挿入用紙合紙ステップＳ３００と、
前記電磁誘導タグ挿入用紙の上側に、ワニスを用いて０．５〜２μｍの厚さでコーティングし、透明樹脂層４００を形成するための透明樹脂層形成ステップＳ４００と、
前記透明樹脂層の上側に、真空蒸着に使用される金属物質を用いて金属蒸着層５００を形成するための金属蒸着層形成ステップＳ５００と、
前記形成された金属蒸着層の上側に、ＱＲコード（登録商標）６００ｂあるいは二色性蛍光インキ６００ｃのセキュリティ要素を形成し、セキュリティ印刷層を構成するためのセキュリティ印刷層形成ステップＳ６００と、を含んで構成されることを特徴とする。
【発明の効果】
【００１１】
以上の構成及び作用を持つ本発明によれば、機器の各種重要部品などの認証書またはセキュリティを目的とするステッカーラベル、ステッカービザなどの偽造及び変造を防止するために使用されるステッカーラベルにおいて、セキュリティ文書の流出に対応するために、電磁誘導タグを微細化し、微細化した電磁誘導タグを用紙の製造時に噴射して適用することで、電磁誘導タグがラベルの中に多数形成されることにより、作業工程が簡単となり、電磁誘導タグを意図的に取り外す行為を根本的に遮断することができる効果がある。
【００１２】
また、ステッカーラベルをコピーする場合、印刷物の内容の全部または一部が黒色で再現されることにより、目視で真贋判定が可能な効果がある
【００１３】
また、ステッカーラベルの印刷物では、スマートフォンのアプリケーションを用いてＱＲコード（登録商標）の情報が確認できるようにし、複写物では、ＱＲコード（登録商標）が表示されないようにすることにより、コピーによる真贋判定が可能な効果がある。
【図面の簡単な説明】
【００１４】
【図１】本発明の第一の実施形態に係るセキュリティ用ステッカーラベルの断面図である。
【図２】本発明の第二の実施形態に係るセキュリティ用ステッカーラベルの断面図である。
【図３】本発明の実施形態に係るセキュリティ用ステッカーラベルの電磁誘導タグ挿入用紙の拡大図である。
【図４】図１の電磁誘導タグ挿入用紙の表面に透明樹脂層及び金属蒸着層を示す例示図である
【図５】図２の電磁誘導タグ挿入用紙の表面の一部に、ＱＲコード（登録商標）をコピー偽造防止用として使用するために、高光沢アルミ薄層を形成した例示図である。
【図６】本発明の第一の実施形態に係るセキュリティ用ステッカーラベルの製造方法を示す工程図である。
【図７】本発明の第二の実施形態に係るセキュリティ用ステッカーラベルの製造方法を示す工程図である。
【図８】本発明の第一の実施形態で製造されたセキュリティ用ステッカーラベルに、セキュリティ要素であるＱＲコード（登録商標）、二色性蛍光インキを適用した平面図である。
【図９】本発明の第二の実施形態で製造されたセキュリティ用ステッカーラベルに、セキュリティ要素であるＱＲコード（登録商標）、二色性蛍光インキを適用した平面図である。
【図１０】本発明の第一の実施形態で製造されたセキュリティ用ステッカーラベルを複写機（カラー、白黒）でコピーした場合の複写物の例示図である。
【図１１】本発明の第二の実施形態で製造されたセキュリティ用ステッカーラベルを複写機（カラー、白黒）でコピーした場合の複写物の例示図である。
【図１２】本発明のセキュリティ用ステッカーラベルを付着したセキュリティレベル１の設計図面を持って電磁誘導ゲートを通る場合、警告灯及びアラームが作動することを示す例示図である。
【発明を実施するための形態】
【００１５】
以下、 本発明に係るセキュリティ用ステッカーラベル及びその製造方法を実施形態により詳しく説明する。
【００１６】
図１は、本発明の第一の実施形態に係るセキュリティ用ステッカーラベルの断面図である。
【００１７】
図１に示すように、本発明のセキュリティ用ステッカーラベルは、離型紙ベースシート１００と、
前記離型紙ベースシートの上側に、アクリル系樹脂を用いて１０〜２０μｍ程度で均一に形成されるアクリル系粘着剤層２００と、
前記粘着剤層の上面に付着される電磁誘導タグ挿入用紙３００と、
前記電磁誘導タグ挿入用紙の上側に形成される透明樹脂層４００と、
前記透明樹脂層の上側に、金属物質を用いて真空蒸着させて形成される金属蒸着層５００と、
前記金属蒸着層の上側に、ＱＲコード（登録商標）６００ｂあるいは二色性蛍光インキ６００ｃのセキュリティ要素として形成されるセキュリティ印刷層６００と、を含んで構成される。
【００１８】
前記アクリル系粘着剤層２００は、前記離型紙ベースシートの上側に、アクリル系樹脂をコーター機を用いて１０〜２０μｍ程度で均一に塗布される。
【００１９】
前記透明樹脂層４００は、前記電磁誘導タグ挿入用紙の上側に形成されており、前記金属蒸着層５００は、前記透明樹脂層の上側に金属物質を用いて真空蒸着されて形成されている。また、セキュリティ印刷層６００は、前記金属蒸着層の上側に、ＱＲコード（登録商標）６００ｂあるいは二色性蛍光インキ６００ｃのセキュリティ要素として形成されている。
【００２０】
図６は、本発明の第一の実施形態に係るセキュリティ用ステッカーラベルの製造方法を示す工程図である。
【００２１】
図６に示すように、電磁誘導タグ挿入用紙形成ステップＳ１００において、５〜１５μｍ、０．５〜１ｃｍの厚さで軟磁性ワイヤを製造し、抄紙工程でチャンバまたはエア方式により前記軟磁性ワイヤを投入し、電磁誘導タグ挿入用紙３００を形成する。
【００２２】
つまり、原紙に軟磁性ワイヤを添加し、図３のような電磁誘導タグ挿入用紙を製造する。
【００２３】
具体的に、前記電磁誘導タグ挿入用紙は、好ましくは、針葉樹及び広葉樹パルプ８０〜８５重量部、炭酸カルシウム１０〜１５重量部、サイズ剤としてアルキルケテンダイマーと消泡剤０．８重量部、湿潤紙力増強剤１．５重量部、定着剤としてポリ塩化アルミニウム２．５重量部、カチオン性ポリアクリルアミド０．０５重量部を混合して、原紙３００ａを生成する。
このとき、長網抄紙機と円網抄紙機を用いて抄紙しながら軟磁性ワイヤを添加し、混合スラリーを製造する。
【００２４】
ここで、軟磁性ワイヤは、電磁誘導タグ（J社、ＪＲ０２−ＡＣ）の組成を有する軟磁性 物質からなり、軟磁性物質は、炭素（Ｃ）６．５％、酸素（Ｏ）０．７３％、ケイ素（Ｓｉ）５．８１％、クロム（Ｃｒ）３．１６％、鉄（Ｆｅ）４．５３％、コバルト（Ｃｏ）７９．９６％で構成されている。
【００２５】
このような特性を有する軟磁性ワイヤ３００ｂを５〜１５μｍ、０．５〜１ｃｍの厚さで製造し、抄紙工程でチャンバまたはエア方式により投入して、電磁誘導タグ挿入用紙８０〜９０g/ｍ2を製造する。
【００２６】
次に、粘着剤層形成ステップＳ２００において、離型紙ベースシート１００の上側に、アクリル系樹脂をコーター機を用いて１０〜２０μｍ程度で均一に塗布し、アクリル系粘着剤層２００を形成する。
【００２７】
次に、電磁誘導タグ挿入用紙合紙ステップＳ３００において、前記アクリル系粘着剤層２００の上側に、合紙機を用いて、前記製造された電磁誘導タグ挿入用紙３００を合紙する。
【００２８】
次に、透明樹脂層形成ステップＳ４００において、前記電磁誘導タグ挿入用紙の上側に、ワニスを用いて０．５〜２μｍの厚さでコーティングし、透明樹脂層４００を形成する。
【００２９】
具体的に、透明樹脂層に使用される樹脂は、金属蒸着が可能な樹脂類を選択する必要があり、好ましくは、ポリウレタン樹脂、ポリエステル樹脂、アクリレート樹脂などで構成されたワニスを用いて、前記電磁誘導タグ挿入用紙の一面の一部または全面に０．５〜２μｍの厚さでコーティングする。このとき、用紙の表面の光沢度及び金属蒸着効果を向上させるために、紫外線硬化型バインダーを使用することができる。
【００３０】
次に、金属蒸着層形成ステップＳ５００において、透明樹脂層の上側に真空蒸着に使用される金属物質を用いて、金属蒸着層５００を形成する。
具体的に、真空蒸着に使用される金属物質は、アルミニウム、銅、スズ、またはこれらの合金から選択される。
【００３１】
ここで、前記金属蒸着層は、６０°光沢値が４５０光沢単位（ＧＵ）以上の光沢度を有する。
【００３２】
次に、セキュリティ印刷層形成ステップＳ６００において、前記形成された金属蒸着層の上側に、ＱＲコード（登録商標）６００ｂあるいは二色性蛍光インキ６００ｃのセキュリティ要素を形成し、セキュリティ印刷層６００を構成する。
【００３３】
セキュリティ用ステッカーラベルに適用されているＱＲコード（登録商標）６００ｂは、図８〜図９に示すように、スマートフォンのアプリケーションを用いて情報を確認することができる。
【００３４】
図８の図面符号「６００ａ」は、 一般の文字を示すものである。
【００３５】
しかし、図１０〜図１１に示すように、セキュリティラベルの複写物８００ｂ、８００ｃでは、ＱＲコード（登録商標）が表示されないため、情報を確認することができない。また、図８〜図９に示すように、二色性蛍光インキ６００ｃは、可視的に薄い米色に見え、紫外線の照射時には、短波（２５４ｎｍ）では赤色、長波（３６５ｎｍ）では黄色に見え、コピー時には再現されない。
【００３６】
一方、前記二色性蛍光インキ６００ｃは、アクリルワニス（ＵＶ型）７５重量％、短波蛍光物質２重量％、長波蛍光物質１０重量％、消泡剤（ＢＹＫ−０２２）０．５重量％、帯電防止剤（ＪＩ―６５）１重量％、イソプロピルアルコール１１．５重量％で製造する。
【００３７】
図２は、本発明の第二の実施形態に係るセキュリティ用ステッカーラベルの断面図である。
【００３８】
図２に示すように、本発明の第二の実施形態に係るセキュリティ用ステッカーラベルは、
離型紙ベースシート１００と、
前記離型紙ベースシートの上側に、アクリル系樹脂を用いて１０〜２０μｍ程度で均一に形成されるアクリル系粘着剤層２００と、
前記粘着剤層の上側に付着される電磁誘導タグ挿入用紙３００と、
前記電磁誘導タグ挿入用紙の上側に形成される高光沢アルミ薄層７００と、
前記高光沢アルミ薄層の上側に、ＱＲコード（登録商標）６００ｂあるいは二色性蛍光インキ６００ｃのセキュリティ要素として形成されるセキュリティ印刷層６００と、を含んで構成される。
【００３９】
前記第二の実施形態と第一の実施形態の相違点は、前記電磁誘導タグ挿入用紙の上側に、透明樹脂層及び金属蒸着層に代えて、高光沢アルミ薄層を形成していることである。
【００４０】
図７は、本発明の第二の実施形態に係るセキュリティ用ステッカーラベルの製造方法を示す工程図である。
【００４１】
図７に示すように、本発明の第二の実施形態に係るセキュリティ用ステッカーラベルの製造方法は、
５〜１５μｍ、０．５〜１ｃｍの厚さで軟磁性ワイヤを製造し、抄紙工程でチャンバまたはエア方式により前記軟磁性ワイヤを投入し、電磁誘導タグ挿入用紙３００を形成するための電磁誘導タグ挿入用紙形成ステップＳ１００と、
離型紙ベースシート１００の上側に、アクリル系樹脂をコーター機を用いて１０〜２０μｍ程度で均一に塗布し、アクリル系粘着剤層２００を形成するための粘着剤層形成ステップＳ２００と、
前記アクリル系粘着剤層２００の上側に、合紙機を用いて前記製造された電磁誘導タグ挿入用紙３００を合紙するための電磁誘導タグ挿入用紙合紙ステップＳ３００と、
前記電磁誘導タグ挿入用紙の上側に、ホットメルト高光沢アルミ薄を用いて金箔印刷機で１４０〜１８０℃の温度で付着し、高光沢アルミ薄層７００を形成するための高光沢アルミ薄層形成ステップＳ４００と、
前記高光沢アルミ薄層の上側に、ＱＲコード（登録商標）６００ｂあるいは二色性蛍光インキ６００ｃのセキュリティ要素を形成し、セキュリティ印刷層を構成するためのセキュリティ印刷層形成ステップＳ５００と、を含んで構成される。
【００４２】
前記第二の実施形態と第一の実施形態の相違点は、高光沢アルミ薄層形成ステップを遂行することである。
【００４３】
つまり、図５に示すように、前記高光沢アルミ薄層形成ステップＳ４００において、ホットメルト高光沢アルミ薄を用いて金箔印刷機で１４０〜１８０℃の温度で付着することにより、電磁誘導タグ挿入用紙の上側の特定の部位に高光沢アルミ薄層７００を形成する。
【００４４】
前記高光沢アルミ薄層７００は、６０°光沢値が４５０光沢単位（ＧＵ）以上の光沢度を有し、これによりコピー偽造防止効果が向上する。
【００４５】
一方、図１２に示すように、上述のような本発明のセキュリティ用ステッカーラベル８００ａを付着したセキュリティ用設計図面７５０を持って電磁誘導ゲート９００を通る場合、警告灯及びアラームが作動することになる。
【００４６】
したがって、セキュリティ文書の流出を予防することができる効果がある。
【００４７】
前記のような本発明を通じて、機器の各種重要部品などの認証書またはセキュリティを目的とするステッカーラベル、ステッカービザなどの偽造及び変造を防止するために使用されるステッカーラベルにおいて、セキュリティ文書の流出に対応するために、電磁誘導タグを微細化し、微細化した電磁誘導タグを用紙の製造時に噴射して適用することで、電磁誘導タグがラベルの中に多数形成されることにより、作業工程が簡単となり、電磁誘導タグを意図的に取り外す行為を根本的に遮断することができる効果がある。
【００４８】
また、ステッカーラベルをコピーする場合、印刷物の内容の全部または一部が黒色で再現されることにより、目視で真贋判定が可能な効果がある
また、ステッカーラベルの印刷物では、スマートフォンのアプリケーションを用いてＱＲコード（登録商標）の情報が確認できるようにし、複写物では、ＱＲコード（登録商標）が表示されないようにすることにより、コピーによる真贋判定が可能な効果がある。
【００４９】
以上では本発明を実施例によって詳細に説明したが、本発明は実施例によって限定されず、本発明が属する技術分野において通常の知識を有するものであれば本発明の思想と精神を離れることなく、本発明を修正または変更できるであろう。
【符号の説明】
【００５０】
１００  離型紙ベースシート
２００  アクリル系粘着剤層
３００  電磁誘導タグ挿入用紙
４００  透明樹脂層
５００  金属蒸着層
６００  セキュリティ印刷層
７００  高光沢アルミ薄層
【図１】
2017083844.tif 000003
【図２】
2017083844.tif 000004
【図３】
2017083844.tif 000005
【図４】
2017083844.tif 000006
【図５】
2017083844.tif 000007
【図６】
2017083844.tif 000008
【図７】
2017083844.tif 000009
【図８】
2017083844.tif 000010
【図９】
2017083844.tif 000011
【図１０】
2017083844.tif 000012
【図１１】
2017083844.tif 000013
【図１２】
2017083844.tif 000014